【手続補正書】
【提出日】平成18年8月16日(2006.8.16)
【手続補正１】
【補正対象書類名】明細書
【補正対象項目名】発明の名称
【補正方法】変更
【補正の内容】
【発明の名称】建築入札と契約の管理システム及びそのためのコンピュータ用プログラム
【手続補正２】
【補正対象書類名】明細書
【補正対象項目名】特許請求の範囲
【補正方法】変更
【補正の内容】
【特許請求の範囲】
【請求項１】  建築プロジェクト設計と請負契約の両方の正確性、明瞭性及び完全性を高めるために、前記建築プロジェクト設計を前記請負契約に相互にリンクすることにより前記建築プロジェクト設計における誤差と不明瞭性を減少するためのプログラムであって、
前記プロジェクトの範囲は、少なくとも一つの設計シートからなる前記建築プロジェクト設計により定められており、前記プロジェクト工事は、それぞれが前記プロジェクト工事の特定部分を履行するとの合意を含む前記請負契約により落札され、
(ａ)  少なくとも一つの前記設計シートの画像と、前記設計シートに描かれた前記建築工事の選択された部分を一意に区切りかつ線引きする、前記設計の複数の下位区分領域を定める座標情報の選択のためのオーバーレイグリッドとを含むファイルを、記憶手段から読み出すための第１手順と、
(ｂ)  前記設計シートの画像を表示するための第２手順と、
(ｃ)  前記設計シートに描かれている前記プロジェクト工事の一部分に対応する、前記設計シート画像の少なくとも一つの下位区分領域の境界を定める、操作者により指定された情報を入力するための第３手順と、
(ｄ)  境界を定める前記情報を前記記憶手段に記憶するための第４手順と、
(ｅ)  前記請負契約の下で履行すべきプロジェクト工事の一部分をより正確に、より明確に、かつ、より完全に定めるように、記憶されている前記設計画像と前記境界を定める情報とを少なくとも一つの請負契約にリンクするための第５手順と
をコンピュータに実行させるためのプログラム。
【請求項２】  請求項１に記載のプログラムであって、さらに、前記コンピュータを少なくとも一つの遠隔ユーザによりインターネットを介してアクセス可能にする手順を含み、前記遠隔ユーザによるアクセスにより前記遠隔ユーザが前記第１ないし第５の手順の少なくとも一つの実行を制御できる、プログラム。
【請求項３】  請求項１に記載のプログラムであって、さらに、
(ａ)  前記記憶手段からの前記電子的オーバーレイを、前記建築プロジェクトで実行されるべき建築工事の選択された建築業種またはカテゴリーに対応する表示外見としての前記建築設計シートのデジタル化フォームに適用する手順であって、前記オーバーレイは、前記設計シートと合わせられ、配列された複数組の座標を定めることにより前記少なくとも１つの建築設計シートの複数の位相幾何学的下位区分領域を可能にし、前記複数の位相幾何学的下位区分領域の各々は、前記少なくとも１つの設計シートにグラフィック的に描かれた前記建築工事、目的またはエレメントの選択された部分を一意に同定し、線引きし、位置づける手順と、
(ｂ)  オーバーレイ上に区画された前記複数の下位区分領域の各々を正確な前記請負契約または下請負契約へリンクする手順であって、前記複数の下位区分領域の各々を前記建築プロジェクト契約または下位建築プロジェクト契約の少なくとも１つに関連して、請け負われるべき建築工事の前記選択部分を同定する設計シート描画を正確にマップすることを含む、手順と、
(ｃ)  前記工事の正確性、明確性及び完全性を高めるために、リンクされた前記下位区分領域を前記請負契約に盛り込んで、前記設計シートでの描画を、前記契約により履行されるべき工事範囲をグラフィック的に参照して、前記請負契約および／または下請負契約のもとでの建築作業における誤りと脱落を減少する手順と
を備えるプログラム。
【請求項４】  請求項３に記載のプログラムであって、前記オーバーレイを用いて前記位相幾何学的下位区分領域を定める前記手順が、
(ａ)  前記少なくとも一つの設計シートを電子データとして、コンピュータ読取り可能な記憶装置を含むコンピュータデータ処理システムに入力する下位手順と、
(ｂ)  前記入力した設計シートデータをデジタルデータファイルとしてコンピュータ読取り可能記憶装置に記憶する下位手順と、
(ｃ)  前記設計シートデータにおいて、少なくとも２次元オーバーレイの実質的に直交する座標に対応する複数の点を選択することにより前記プロジェクト工事の１部分を含む前記少なくとも１つの下位区分領域を定義するサブ手順であって、前記選択された点は、前記プロジェクト工事の定義された前記部分がグラフィック的に表示されているエリアを定義している、下位手順と、
(ｄ)  前記コンピュータ読取り可能な記憶装置においてテーブルの中のデータとして前記選択された下位区分領域を格納する下位手順と
を備えるプログラム。
【請求項５】  請求項４に記載のプログラムであって、さらに、
(ａ)  それぞれが前記複数の請負契約の中の１つの下で履行すべき工事に対応する複数のプロジェクト入札工事カテゴリを含むテーブルを前記コンピュータ読取り可能な記憶装置においてアクセスする手順と、
(ｂ)  前記コンピュータ読取り可能記憶装置において、前記少なくとも一つの下位区分領域を前記工事カテゴリの内の選ばれた工事カテゴリと相関付けるデータ構造を生成すべく前記選ばれた工事カテゴリに前記少なくとも一つの下位区分領域をリンクさせる手順と
を備えるプログラム。
【請求項６】  請求項５に記載のプログラムであって、さらに、
(ａ)  前記コンピュータ読取り可能記憶装置において少なくとも一つの請負契約書類ファイルにアクセスする手順と、
(ｂ)  前記コンピュータ読取り可能記憶装置において前記選ばれた工事カテゴリを前記請負および／または下請負契約書類ファイルにリンクして、前記データ構造において前記選ばれた工事カテゴリと前記請負契約書類ファイルの間の相関と、前記少なくとも一つの設計シート下位区分領域と前記請負及び／又は下請負契約書類ファイルとの間の相関とを生成する手順と
を備えるプログラム。
【請求項７】  請求項６に記載のプログラムであって、さらに、
(ａ)  前記コンピュータ読取り可能メモリにおいて、選ばれたアイコンファイルを前記少なくとも一つの設計シートの前記少なくとも一つの下位区分領域に関連付ける手順と、
(ｂ)  前記コンピュータに接続されている表示装置に前記選択された請負契約書類及び／または下請負契約書類の画像を表示する手順と、
(ｃ)  前記選ばれたアイコンを、前記請負契約及び／または下請負契約書類と重ね合わせた画像として表示する手順と、
(ｄ)  前記請負契約書類及び／または下請負契約書類の下で履行すべき工事の前記部分をグラフィック的に表示するグラフィックユーザインターフェースを用いて、前記アイコンの選択に応答して前記設計シートの前記下位区分領域の画像を前記データ構造から検索する手順と
を設けてなるプログラム。
【請求項８】  請求項６に記載のプログラムであって、さらに、
(ａ)  インデックス参照を前記少なくとも一つの下位区分領域と前記少なくとも一つの設計シートとに関連付ける手順と、
(ｂ)  前記選択された請負契約書類及び／または下請負契約書類を、その請負契約書類及び／または下請負契約書類に含まれた前記インデックス参照と共に印刷する手順と、
(ｃ)  前記設計シートに重ね合わされ、前記インデックスされた下位区分領域の画像を印刷して、前記設計シート画像に含まれている設計下位区分情報により前記請負契約及び／または下請負契約書類の下で履行すべき工事の少なくとも一部を参照する手順とを備えるプログラム。
【請求項９】  請求項６に記載のプログラムであって、前記下位区分を線引きする手順が、
(ａ)  前記設計シートと整合させた少なくとも一つの閉境界ボックスを定める手順であって、前記下位区分領域がこの境界で囲まれた前記設計エリアよりなる手順と、
(ｂ)  前記少なくとも１つの設計シートの上で少なくとも１つのトレース跡を定める手順であって、前記トレース跡は、それから予め決められた距離内にある前記設計シートのトレースエリアの境界を定める、手順と、
(ｃ)  前記少なくとも１つの設計シートの上で少なくとも１つの中心点を定める手順であって、この中心点は、あらかじめ決められた幾何学的境界形状の座標の中にある前記少なくとも１つの設計シートのエリアの境界を定め、前記下位区分領域は、このあらかじめ決められた境界形状により囲まれる、手順と、
(ｄ)  前記少なくとも１つの設計シートで、その設計シートをあらかじめ決められた複数の下位エリアに分割する参照グリッドの座標を定め、前記複数の下位エリアから１以上の隣接する下位エリアを選択する手順であって、前記下位区分はこの選択された前記下位エリアからなる手順と
の中の少なくとも１つの手順を含むプログラム。
【請求項１０】  請求項３に記載のプログラムであって、さらに、インターネットウェブサーバに接続され、前記ウェブサーバを介してレンダリングと表示のために前記設計、前記請負契約及び前記下請負契約の遠隔アクセス自在とする手順であって、データ、入札、コメント、編集及び変化を含む双方向の流れをイネーブルにする手順を備えるプログラム。
【請求項１１】  請求項１に記載のプログラムであって、
前記オーバーレイ座標のマップ処理は、トポロジー下位区分の領域が小さくなるにつれて透明度が増加するという性質をもつ１組の近似直交等式により可能になることを特徴とするプログラム。
【請求項１２】  請求項１に記載のプログラムであって、
ａ）各々の設計シートについて下位区分領域の境界の座標を比べて、他の領域と隣接せずまたは重複しまたは無視される下位区分領域があるか否かを決定するか、または、
ｂ）１つの設計シートの上の全ての下位区分領域の全面積を求め、前記全面積をその設計シートの工事が描かれている面積と比べて、マップ化されている設計シートの全てのエレメントより少ないか否かを決定することにより、
トポロジー下位区分の完全性または非重複性をトポロジー的に証明する少なくとも１つのエラー検出アルゴリズムを実行することにより建築の工事、目的またはエレメントのマップ化の完全性を証明することを特徴とするプログラム。
【請求項１３】  少なくとも一つの設計シートを含む建築プロジェクト設計と請負契約との両方の正確性、明瞭性、特殊性、完全性などを高めるために、建築プロジェクト設計を請負契約に相互リンクし、前記プロジェクトの工事範囲が前記設計により定まっており、また、前記プロジェクト工事が、前記プロジェクト工事の特定部分を履行する合意を含む前記請負契約により落札される、コンピュータデータ処理システムであって、
(ａ)  前記設計シートのデジタル画像情報を含む少なくとも一つの設計ファイルを記憶する記憶手段と、
(ｂ)  前記記憶手段に接続されて、前記設計シート画像を表示する表示手段と
(ｃ)  前記記憶手段に接続されて、前記オーバーレイグリッドを前記設計に重ねて、前記設計の複数の下位区分領域を定める座標情報の選択を可能にし、かつ、その境界指定情報を前記記憶手段に記憶するコンピュータ処理手段であって、前記下位区分領域は、前記設計シートの上にグラフィック的に表される前記プロジェクト建築工事の選択された部分を一意に区画し境界を定めるコンピュータ処理手段と、
(ｄ)  前記記憶手段に接続されて、前記設計シート画像の上で、前記設計シート画像の少なくとも１つの下位区分領域を区画する閉境界を選択するコンピュータ・操作者インターフェース手段であって、前記下位区分領域は、前記設計に描かれる前記プロジェクト建築工事の１部分に対応する、コンピュータ・操作者インターフェース手段と、
(ｅ)  前記記憶手段に接続されて、少なくとも１つの請負契約の下で履行すべき前記プロジェクト工事の一部を定めるように、前記請負契約に、記憶されている前記設計画像と前記境界情報とをリンクするリンク手段と
からなるコンピュータデータ処理システム。
【請求項１４】  請求項１３に記載のコンピュータデータ処理システムであって、さらに、少なくとも一つの遠隔ユーザがインターネットを介して前記コンピュータシステムにアクセスできるようにするアクセス手段を備えてなるコンピュータデータ処理システム。
【手続補正３】
【補正対象書類名】明細書
【補正対象項目名】０００６
【補正方法】変更
【補正の内容】
【０００６】
設計書が建築家によるものであっても、また、建築プラクチスが健全であっても、このような問題がある。コンピュータによる設計支援作図(ＣＡＤ)や仕様立案システムを利用したとしても、設計作業のどの部分がどの下請負業者の責任であり、どの下請負業者が履行するに当りどれほどの労働と材料が必要なのかを正確に算出するのに、依然と不確実性が残されていることは経験するところである。同様に、工事範囲の一部が下請負入札から誤って除外してしまったら、請負業者にとっては不測事態対応出費と不確実性をもたらすことになり、また、紛争の種になったり、工事に対する責任について合意したり、費用支払いが時にはコストがかかって長引くことになる。
【手続補正４】
【補正対象書類名】明細書
【補正対象項目名】００１１
【補正方法】変更
【補正の内容】
【００１１】
本発明による入札システムでは、建築設計に対してそれぞれが工事の業種ないしカテゴリに対応する一群の「オーバーレイ」を作り出している。このオーバーレイで、特定の業種ないしカテゴリで実行すべき工事の詳細な性質が正確に位相幾何学的に定められる、設計と整合がとれてそれに指向されている具象的な「表面」を表している。設計に含まれるオーバーレイカテゴリでの工事は、特定のカテゴリの工事を要する設計エレメント(plan elements)の位置に対応するオーバーレイの選ばれた位相幾何学的下位区分(subdivision)を確立することにより定義付けられていると共に、機能的に区分(segregate)される。
【手続補正５】
【補正対象書類名】明細書
【補正対象項目名】００２１
【補正方法】変更
【補正の内容】
【００２１】
設計オーバーレイ
設計を入力した後では、各設計図ごとに、制約のない仮想オーバーレイ群(a categorical series of virtual overlays)がデジタルデータとして作られる。好ましくは、このオーバーレイ群はコンピュータ読取り可能媒体に一つかそれ以上のデジタルファイルとして保存される。各オーバーレイは幾何学的には設計図の特定紙面と関連付けられて連繋している。また、各仮想オーバーレイは建築業種の特定カテゴリないし入札下請負カテゴリを表している。
【手続補正６】
【補正対象書類名】明細書
【補正対象項目名】００２２
【補正方法】変更
【補正の内容】
【００２２】
実質的には、オーバーレイは設計と調和がとられている仮想表面であって、それには特定の業種ないし入札カテゴリに関する設計仕様情報が、該当する設計上の特徴を閉境界(「フレーム」とも言う)に取り囲むことにより、他の設計情報とは区別して定義付けられているか、抽出されているか、或いは精緻化されている。従って、オーバーレイは、特定の業種カテゴリに関する設計情報を区別するための具象的なオブジェクトである。
【手続補正７】
【補正対象書類名】明細書
【補正対象項目名】００２５
【補正方法】変更
【補正の内容】
【００２５】
オーバーレイ下位区分の確立
工事範囲を精緻化し定義付ける位相幾何学的下位区分領域は、本発明による沢山の典型的な方法の実施の形態によりオーバーレイ上に作られる。オーバーレイ下位区分を作り出すのに利用する方法がどれであろうとも、各下位区分は固有のコードで識別できるのが望ましく、また、それに関連付けられた表示可能アイコンを有しているのが望ましい。識別コードとアイコン(「識別子」)とで、斯かる識別子をリストアップする/表示する入札書類及び請負契約と履行すべき工事を定めるオーバーレイ下位区分との間での相互参照ができる。
【手続補正８】
【補正対象書類名】明細書
【補正対象項目名】００３６
【補正方法】変更
【補正の内容】
【００３６】
入札システムにおいて設計をオーバーレイとボックスとに下位区分することは、伝統的な入札手順では一般的に混乱する虞の多い、ある業種カテゴリにおける工事を複数の実体間で区分しなければならない状況にあっては特に好都合である。このことは、例えば、総合請負業者と下請負業者とが特定の工事カテゴリを区分する場合や、施主が提供する備品などを下請負業者が設置するべきかどうかの時に発生する。このような状況にあっては、ボックス規定の工事部分があれば、各当事者の役割の範囲についての誤解をなくすことができる。また、ボックスと別々のオーバーレイカテゴリのいずれか、または両方を定めて、設計で指定されている非契約対象工事や材料を定めることができる。その一例としては、施主が完成させる工事(「施主工事」ボックスとして詳述されている)、または、建築の初期段階から除外する工事(「後回し改良工事」ボックスとして詳細されている)とが挙げられる。
【手続補正９】
【補正対象書類名】明細書
【補正対象項目名】００３８
【補正方法】変更
【補正の内容】
【００３８】
これらの代替実施の形態では、オーバーレイボックスを下位区分する実施の形態と同様にオーバーレイに、請負契約と入札とその他の書類へのリンクを許容するべく入札カテゴリに関する設計情報の下位区分と分離(segregation)のいずれか、または両方を作り出すことができるが、それぞれには下位区分方法の代替案が含まれている。ここで説明するオーバーレイの下位区分についての種々の実施の形態は、それ自体単独で利用できることもあれば、他の実施の形態と組み合わせて利用することもできる。
【手続補正１０】
【補正対象書類名】明細書
【補正対象項目名】００４２
【補正方法】変更
【補正の内容】
【００４２】
ズーム表示図による下位区分の実施の形態
本発明の入札システムの別の実施の形態では、設計で説明されている工事は、オーバーレイに拡大縮小図ないし「ズーム表示図」を作り出すことにより定めている。このズーム表示図式下位区分は前記した下位区分ボックスに似たようなものではあるが、特定の閉曲線で定まるものではなく、むしろ中心点とこの中心点を中心として幾何学的に定まる領域とで表される。例えば、ズーム表示図は、中心点のまわりの所定半径を有する円形領域として定めることもできる。別の方法としては、このズーム表示図は、中心点のまわりの所定の高さと幅を有する矩形領域として定めることも可能である。
【手続補正１１】
【補正対象書類名】明細書
【補正対象項目名】００４５
【補正方法】変更
【補正の内容】
【００４５】
機能オーバーレイ図面式下位区分の実施の形態
本発明の入札システムのまた別の実施の形態では、工事カテゴリに適った図面データを、設計からの抽出/分離と対応するオーバーレイへの挿入により下位区分化している。従って、抽出後のオーバーレイは、カテゴリ工事を含む機能下位区分化図面からなる。本願明細書で言うオーバーレイは、図面とは座標的に整合されている代表的な表面であるから、特定の図面情報が、その周辺情報がなくなるようなことなくその図面のオーバーレイに抽出ないしコピーすることができる。オーバーレイ上のデータは、設計上の同一データに整合されるか、写像される。このオーバーレイは請負契約、入札、その他の書類などに後述のようにリンクされて、オーバーレイカテゴリの工事範囲を定めることになる。
【手続補正１２】
【補正対象書類名】明細書
【補正対象項目名】００４６
【補正方法】変更
【補正の内容】
【００４６】
この機能図面式下位区分の実施の形態では、プロジェクトで実行すべき全ての工事を抽出するのに必要とされるだけ、できるだけ沢山のオーバーレイカテゴリを設けてもよい。また、オーバーレイカテゴリに対して保留している、または、非プロジェクトの設計エレメントを抽出した場合では、特定の設計図に対するオーバーレイの要約ファイルを、好ましくは設計図と匹敵するデジタル形式の要約とで編集するのが望ましい。要約ファイルと設計図との相関付けないし相互比較を行って、設計のエレメントで見落としたものがないことを判断するのが望ましい(完全性のチェック機能)。
【手続補正１３】
【補正対象書類名】明細書
【補正対象項目名】００５１
【補正方法】変更
【補正の内容】
【００５１】
その後、アイコンと図面、オーバーレイを含む完全な下請負契約が印刷できるようになって、クライエントと建築家のいずれか、または両者が印刷されたものを閲覧することができると共に、必要な修正については操作者が入札システムを利用してそれを行うことができる。一般に、設計と請負契約の印刷版は、本願明細書では「ハードコピー」と称している。非カテゴリないし空ボックスもこの印刷板で識別できるから、クライエントと建築家には請負契約の作成に当たって非カテゴリないし空ボックスを見失ってしまうことがないように保証することができる。このプロセスは各下請負契約カテゴリごとに繰り返されるのである。
【手続補正１４】
【補正対象書類名】明細書
【補正対象項目名】００５７
【補正方法】変更
【補正の内容】
【００５７】
プロジェクト管理情報
本発明の方法は、適当な段階で契約上の義務、工事範囲、建築家、コンサルタント、エンジニア、総合請負業者、下請負業者の如くの主事に人達や実体のための達成可能なもの(deliverable)を定めるとか、プロジェクト時間軸の間のどの段階においても実施できる。また、入札システムには、貸手に代わる建築規則検査員や建築規制サービスモニタ進捗の如くの種々の実体との間での入出力を含んでいる。入力システムは、下の入札と契約を定義付けして作成したり、建築時に必要になる変更発注を作成したりするようにもなっている。この方法には、従来の建築設計では指定されていない、廃材処分や保険サービスなどのプロジェクト関係建築サービスのためのデータと契約のインポート、その後での入札システムにおけるこれらの契約の編集、入札および／またはアーカイブ化も含まれている。
【手続補正１５】
【補正対象書類名】明細書
【補正対象項目名】００６２
【補正方法】変更
【補正の内容】
【００６２】
また、本発明の入札システムの運営には、プロジェクト時間軸全体にわたって前向きにデータベースにおけるデータを更新するプログラム機能をも備えていると共に、再検討、変更、完成、通信などの履歴をログするようになっている。
【手続補正１６】
【補正対象書類名】明細書
【補正対象項目名】００７６
【補正方法】変更
【補正の内容】
【００７６】
例えば、建築家が二次ウェブサーバを運用して、施主や請負業者、複数の下請負業者、そして所望によっては建築コントロールとプロジェクト貸手のいずれか、または両方にリンクするものとする。この場合、ＢＳＳＰは、本発明の入札システムのソフトウェアエレメントをライセンス貸与しているばかりではなくて、その建築家が運用している入札システムソフトウェアについて、デモンストレーション、学習、訓練、技術サーポートなどをオンラインで提供するものであってもよい。次にウェブサーバーは、特定プロジェクトについて構築して運用してもよいし、または、複数の異なったプロジェクトについてオンラインサービスを絶えず提供するものであってもよい。
【手続補正１７】
【補正対象書類名】明細書
【補正対象項目名】００７７
【補正方法】変更
【補正の内容】
【００７７】
一般にＢＳＳＰは、二次ホストから受信したプロジェクトデータの長期記録アーカイブや、権原会社や貸手の如くの顧客とのアーカイブしたデータ交換サービスの如くの選ばれた集中機能を継続的に提供していてもよい。好ましくは、ＢＳＳＰとしては、必要時に熟練コンサルタントとして作用することで、ＢＳＳＰの職員が例えば問題解決、正確性などの検討仕事を行う上で二次ホストの職員やその他の当事者と連絡を取り合うのが望ましい。
【手続補正１８】
【補正対象書類名】明細書
【補正対象項目名】００９６
【補正方法】変更
【補正の内容】
【００９６】
承認されて受け入れられた下請負契約では、設計とボックスとが下請負契約の証として組み込まれており、ボックス位置が契約による工事の履行義務を定めるものの一部をなす。よって、各ボックスは離散的な「達成可能なもの(deliverable)」として下請負契約に効果的に組み込まれるのである。下請負契約のその部分の履行について問題ないし紛争が発生した場合、ボックスには、外部書類を参照しなくても当該紛争を速やかに解消するのに必要な情報が含まれている。電子形態にあっては、下請負契約書におけるボックスアイコンは、設計図の該当部分が下請負契約アイコンをクリックすることで表示画面に表示されるように設計図と関連付け(hyperlink)されている。
【手続補正１９】
【補正対象書類名】明細書
【補正対象項目名】００９９
【補正方法】変更
【補正の内容】
【００９９】
換言すれば、カテゴリ/ボックス/オーバーレイシステムが契約工事範囲の情報を設計に追加し、それと同時に、アイコンと座標(及び、好ましくは電子形態での契約におけるハイパーリンク)とで契約に情報を追加するようになっており、これは従来の口頭による工事説明には見られないことである。従って、本発明の入札システムに埋め込まれている設計と契約との相互関連付けで、設計データベースと契約データベースとの間での情報の双方向流れを醸し出すことができるのである。
【手続補正２０】
【補正対象書類名】明細書
【補正対象項目名】０１１３
【補正方法】変更
【補正の内容】
【０１１３】
図７は、オーバーレイ作成サブ方法を示す。この例では、ＢＳＳＰが、入札システム下請負業者カテゴリとサブカテゴリのリストに基づいてオーバーレイ(グリッド共)を作成する。データベースからサブカテゴリのリストとプロンプトにアクセスする。ＢＳＳＰはサブカテゴリリストについて問い合わせし(所望によっては新規サブカテゴリを作成)、図面を選び、オーバーレイを作成し、図面上のグリッドでのオーバーレイ座標のグリッドを作成する。
【手続補正２１】
【補正対象書類名】明細書
【補正対象項目名】０１１６
【補正方法】変更
【補正の内容】
【０１１６】
図９は、ボックス/オーバーレイ検討サブ方法を示す。この例では、ＢＳＳＰが設計図に重ねたオーバーレイのハードコピーを調製し、これをクライエントとへ転送するか、検討のために転送するかのいずれか、または両方を行う。所望によっては、ＢＳＳＰはクライエントの方で見ることのできる等価電子ファイルを送信するようにしてもよい。好ましくは、これは、図２３におけるウェブサイト３００に割り当てられて入手できるプロジェクトウェブページを介して行うのが望ましい。オーバーレイ/ボックスに対するクライエントのコメントや修正はＢＳＳＰに転送される。クライエントが要請する建築家の説明ないし設計変更とクライエントが要請するオーバーレイとボックスにおける変更のいずれか、または両方は覚書の形でＢＳＳＰにより書類化され、その後ログ記録され、プロジェクトデータベースにリンクされる。尚、建築家は、所望によってはこの段階でクライエントと相談してオーバーレイ/ボックスの勧告事項を検討することもできる(図１３の建築家設計説明を参照のこと)。